(57)【特許請求の範囲】
【請求項１】
天板と底板と背板と一方の側板とで前方及び片側方へ開口したキャビネット本体を形成し、該キャビネット本体の片側方開口における手前側で天板と底板との間に縦桟材を架設し、同片側方開口における奥側の上下に連結具を配設し、同キャビネット本体を複数並設して隣接するキャビネット本体同士を、一方のキャビネット本体の側板と他方のキャビネット本体の縦桟材及び連結具とを結合固定して連結してなるキャビネット。
【請求項２】
キャビネット本体の側板と縦桟材及び連結具とに相対応させて結合用孔を穿設し、隣接する両結合用孔に連通させたネジ体によって、同側板と縦桟材及び連結具とを結合固定したことを特徴とする請求項１記載のキャビネット。
【請求項３】
キャビネット本体の側板の四角部位に結合用孔を配置穿設して、該結合用孔と相対応する位置で縦桟材及び連結具に結合用孔を穿設したことを特徴とする請求項２記載のキャビネット。
【請求項４】
縦桟材及び連結具をキャビネット本体の片側方開口から突出しないよう該片側方開口の端面と略面一状に配置させたことを特徴とする請求項１〜３のいずれか一つに記載のキャビネット。
【請求項５】
天板及び底板の側端面に側板の内側面が接合される形態にキャビネット本体を形成し、並設されて最端に位置するキャビネット本体の片側方開口の端面に、前記側板と同形状の最端用側板を接合固定したことを特徴とする請求項４記載のキャビネット。
【請求項６】
天板及び底板と背板とを連結具によって結合固定したことを特徴とする請求項１〜５のいずれか一つに記載のキャビネット。
【請求項７】
連結具を予め背板に固定しておき、該背板の上端縁及び下端縁を天板下面及び底板上面に形成した凹溝に挿入係合させて、同背板を所定位置に配設し、この状態で、連結具を同天板下面及び底板上面に固定したことを特徴とする請求項６記載のキャビネット。
【請求項８】
複数並設されたキャビネット本体上にカウンターを架設固定したことを特徴とする請求項１〜７のいずれか一つに記載のキャビネット。
【発明の詳細な説明】
【０００１】
【発明の属する技術分野】
本発明は、天板と底板と背板と側板とでなるキャビネット本体を複数並設して相互に連結してなるキャビネットに関するものである。
【０００２】
【従来の技術】
従来から、図６に示す如く、台所の壁際に組み立て施工されて設置されるキッチン用のフロアーキャビネット等において、天板１と底板２と背板３と側板４とでなるキャビネット本体５を複数並設して相互に連結してなるキャビネットは知られている。
【０００３】
この場合、天板１と底板２と背板３と両側板４とで前方へ開口した箱型のキャビネット本体５が形成され、該キャビネット本体５が複数並設されて隣接するキャビネット本体５同士は、両者の側板４がネジ体10によって結合固定されることで連結されている。
【０００４】
ここで、ネジ体10はボルトであり、該ネジ体10に螺合されるナット18と同ネジ体10の頭部とで両キャビネット本体５の側板４が挟着固定されている。又、天板１、底板２、背板３、側板４としては、一般に、合板、パーティクルボード等の木質板材が使用されている。
【０００５】
【発明が解決しようとする課題】
しかしながら、上記従来の技術においては、隣接する両キャビネット本体５間の連結部位に二枚の側板４が重なって余分に存在することになるので、該側板４としての材料を多く必要とし、材料コストが高くなると共に重量化して組み立て施工性にも問題があった。
【０００６】
本発明は、上記従来の技術における問題を悉く解決するために発明されたもので、その課題は、キャビネット本体の材料が削減されて、低コスト化、軽量化が図られ、組み立て施工性も向上されるキャビネットを提供することである。
【０００７】
【課題を解決するための手段】
本発明の請求項１記載のキャビネットは、天板と底板と背板と一方の側板とで前方及び片側方へ開口したキャビネット本体を形成し、該キャビネット本体の片側方開口における手前側で天板と底板との間に縦桟材を架設し、同片側方開口における奥側の上下に連結具を配設し、同キャビネット本体を複数並設して隣接するキャビネット本体同士を、一方のキャビネット本体の側板と他方のキャビネット本体の縦桟材及び連結具とを結合固定して連結してなる。
【０００８】
したがって、この場合、天板と底板と背板と一方の側板とで前方及び片側方へ開口したキャビネット本体が形成されるので、該キャビネット本体を複数並設したとき、隣接する両キャビネット本体間の連結部位には側板が一枚だけ存在することになる。それ故、キャビネット本体の材料が側板一枚分削減されて、低コスト化が図られ、軽量化によって組み立て施工性も向上される。
【０００９】
しかも、キャビネット本体の片側方開口における手前側で天板と底板との間に縦桟材が架設され、同片側方開口における奥側の上下に連結具が配設され、隣接する両キャビネット本体同士は、一方のキャビネット本体の側板と他方のキャビネット本体の縦桟材及び連結具とが結合固定されて連結されるので、該連結は確実なものとなり、両キャビネット本体の天板はその間に介在する単一の側板に固定支持されて、耐荷重性に支障を来すことがなく、各キャビネット本体内の収納スペースも側板一枚分だけ拡張される。
【００１０】
本発明の請求項２記載のキャビネットは、上記請求項１記載のキャビネットにおいて、キャビネット本体の側板と縦桟材及び連結具とに相対応させて結合用孔を穿設し、隣接する両結合用孔に連通させたネジ体によって、同側板と縦桟材及び連結具とを結合固定したことを特徴とする。
【００１１】
したがって、この場合は特に、側板と縦桟材及び連結具とに穿設された両結合用孔に連通されるネジ体によって、同側板と縦桟材及び連結具とが結合固定されるので、隣接する両キャビネット本体同士は確実強固に連結される。
【００１２】
本発明の請求項３記載のキャビネットは、上記請求項２記載のキャビネットにおいて、キャビネット本体の側板の四角部位に結合用孔を配置穿設して、該結合用孔と相対応する位置で縦桟材及び連結具に結合用孔を穿設したことを特徴とする。
【００１３】
したがって、この場合は特に、上記の場合において、側板の四角部位に結合用孔が配置穿設され、これと相対応する位置で縦桟材及び連結具に結合用孔が穿設されるので、隣接する両キャビネット本体同士はその四角部分でネジ体により均等強固に安定して連結される。
【００１４】
本発明の請求項４記載のキャビネットは、上記請求項１〜３のいずれか一つに記載のキャビネットにおいて、縦桟材及び連結具をキャビネット本体の片側方開口から突出しないよう該片側方開口の端面と略面一状に配置させたことを特徴とする。
【００１５】
したがって、この場合は特に、縦桟材及び連結具がキャビネット本体の片側方開口から突出しないよう該片側方開口の端面と略面一状に配置されるので、隣接する両キャビネット本体同士はがたつきなく密接して連結され、両者の天板間に隙間が発生することもない。
【００１６】
本発明の請求項５記載のキャビネットは、上記請求項４記載のキャビネットにおいて、天板及び底板の側端面に側板の内側面が接合される形態にキャビネット本体を形成し、並設されて最端に位置するキャビネット本体の片側方開口の端面に、前記側板と同形状の最端用側板を接合固定したことを特徴とする。
【００１７】
したがって、この場合は特に、上記の場合において、並設されて最端に位置するキャビネット本体の片側方開口の端面に、該キャビネット本体の側板と同形状の最端用側板が接合固定されるので、該最端用側板によって同キャビネット本体の片側方開口は支障なく外観良好に閉塞され、その際、同最端用側板として部材品番を増加することなく同側板を共用することができる。
【００１８】
本発明の請求項６記載のキャビネットは、上記請求項１〜５のいずれか一つに記載のキャビネットにおいて、天板及び底板と背板とを連結具によって結合固定したことを特徴とする。
【００１９】
したがって、この場合は特に、隣接するキャビネット本体の側板に結合固定される連結具によって、キャビネット本体の天板及び底板と背板とが結合固定されるので、該キャビネット本体の組み立て作業と隣接するキャビネット本体との連結作業とを同じ連結具でまとめて簡単に行うことができる。
【００２０】
本発明の請求項７記載のキャビネットは、上記請求項６記載のキャビネットにおいて、連結具を予め背板に固定しておき、該背板の上端縁及び下端縁を天板下面及び底板上面に形成した凹溝に挿入係合させて、同背板を所定位置に配設し、この状態で、連結具を同天板下面及び底板上面に固定したことを特徴とする。
【００２１】
したがって、この場合は特に、上記の場合において、連結具が予め固定された背板の上端縁及び下端縁を天板下面及び底板上面に形成された凹溝に挿入係合させて、スムーズに同背板を所定位置に配設することができ、この状態で、連結具を同天板下面及び底板上面に固定して、キャビネット本体の組み立て作業をより簡単に行うことができる。
【００２２】
本発明の請求項８記載のキャビネットは、上記請求項１〜７のいずれか一つに記載のキャビネットにおいて、複数並設されたキャビネット本体上にカウンターを架設固定したことを特徴とする。
【００２３】
したがって、この場合は特に、複数並設されたキャビネット本体上にカウンターが架設固定されるので、該カウンターによって各キャビネット本体の天板上が一連に体裁良く覆い隠され、同カウンターを支持する耐荷重性にも支障を来すことはない。
【００２４】
【発明の実施の形態】
図１〜３は、本発明の請求項１〜６、８に対応する一実施形態を示し、該実施形態のキャビネットは、天板１と底板２と背板３と一方の側板４とで前方及び片側方へ開口したキャビネット本体５を形成し、該キャビネット本体５の片側方開口６における手前側で天板１と底板２との間に縦桟材７を架設し、同片側方開口６における奥側の上下に連結具８を配設し、同キャビネット本体５を複数並設して隣接するキャビネット本体５同士を、一方のキャビネット本体５の側板４と他方のキャビネット本体５の縦桟材７及び連結具８とを結合固定して連結し、組み立てられている。
【００２５】
該実施形態のキャビネットにおいては、キャビネット本体５の側板４と縦桟材７及び連結具８とに相対応させて結合用孔９を穿設し、隣接する両結合用孔９に連通させたネジ体10によって、同側板４と縦桟材７及び連結具８とを結合固定している。この場合、キャビネット本体５の側板４の四角部位に結合用孔９を配置穿設して、該結合用孔９と相対応する位置で縦桟材７及び連結具８に結合用孔９を穿設している。
【００２６】
又、該実施形態のキャビネットにおいては、縦桟材７及び連結具８をキャビネット本体５の片側方開口６から突出しないよう該片側方開口６の端面と略面一状に配置させている。この場合、天板１及び底板２の側端面に側板４の内側面が接合される形態にキャビネット本体５を形成し、並設されて最端に位置するキャビネット本体５の片側方開口６の端面に、前記側板４と同形状の最端用側板11を接合固定している。又、天板１及び底板２と背板３とを連結具８によって結合固定しており、又、複数並設されたキャビネット本体５上にカウンター13を架設固定してもいる。
【００２７】
該実施形態のキャビネットは、台所の壁際に組み立て施工されて設置されるキッチン用のフロアーキャビネットである。天板１、底板２、背板３、側板４としては、合板、パーティクルボード等の木質板材が使用されている。側板４の上端部内側面には天板１の側端面が、又、同側板４の下端部内側面には底板２の側端面が、いずれもダボにより接合固定されている。縦桟材７の上端面は天板１の角部下面に、又、同縦桟材７の下端面は底板２の角部上面に、いずれもビスにより堅固に接合固定されている。
【００２８】
天板１、側板４、底板２の各内側面奥側には、該奥側縁に沿って凹溝12が周方向で連続するように形成されている。背板３の上端縁及び下端縁を天板１及び底板２の凹溝12に挿入係合させて所定の位置までスライドさせ、該所定の位置で同背板３の一方の側端縁は側板４の凹溝12に係合される。この状態で、同背板３の他方の側端縁の上下両端において、連結具８により該背板３と天板１及び底板２とが結合固定される。
【００２９】
この場合、連結具８は硬質の合成樹脂、金属等で一体に形成され、垂直片部14と水平片部15と該両者に直交する接合片部16とでなる。ここで、垂直片部14はネジ釘17によって背板３の内側面に取着固定され、水平片部15はネジ釘17によって天板１或いは底板２の内側面に取着固定され、接合片部16には上記結合用孔９が穿設されていて、該接合片部16は天板１、底板２、背板３の側端面と略面一状に配置される。
【００３０】
又、隣接するキャビネット本体５同士は、一方のキャビネット本体５の側板４と他方のキャビネット本体５の縦桟材７及び連結具８とを結合固定して連結されるが、その際、側板４と縦桟材７及び連結具８とに穿設された結合用孔９が相対応され、両結合用孔９に連通したネジ体10によって、同側板４と縦桟材７及び連結具８とは結合固定される。ここで、ネジ体10はボルトであり、該ネジ体10に螺合されるナット18と同ネジ体10の頭部とで両キャビネット本体５の側板４と縦桟材７及び連結具８とが挟着固定される。又、並設連結されたキャビネット本体５上には、人造大理石と称される硬質の合成樹脂で一体に形成されたカウンター13が設置固定される。
【００３１】
したがって、該実施形態のキャビネットにおいては、天板１と底板２と背板３と一方の側板４とで前方及び片側方へ開口したキャビネット本体５が形成されるので、該キャビネット本体５を複数並設したとき、隣接する両キャビネット本体５間の連結部位には側板４が一枚だけ存在することになる。それ故、キャビネット本体５の材料が従来に比して側板４一枚分削減され、低コスト化が図られ、軽量化によって組み立て施工性も向上される。
【００３２】
しかも、キャビネット本体５の片側方開口６における手前側で天板１と底板２との間に縦桟材７が架設され、同片側方開口６における奥側の上下に連結具８が配設され、隣接する両キャビネット本体５同士は、一方のキャビネット本体５の側板４と他方のキャビネット本体５の縦桟材７及び連結具８とが結合固定されて連結されるので、該連結は確実なものとなり、両キャビネット本体５の天板１はその間に介在する単一の側板４に固定支持されて、耐荷重性に支障を来すことがなく、各キャビネット本体５内の収納スペースも従来に比して側板４一枚分だけ拡張される。
【００３３】
又、該実施形態のキャビネットにおいては、側板４と縦桟材７及び連結具８とに穿設された両結合用孔９に連通されるネジ体10によって、同側板４と縦桟材７及び連結具８とが結合固定されるので、隣接する両キャビネット本体５同士は確実強固に連結される。しかも、この場合、側板４の四角部位に結合用孔９が配置穿設され、これと相対応する位置で縦桟材７及び連結具８に結合用孔９が穿設されているため、隣接する両キャビネット本体５同士はその四角部分でネジ体10により均等強固に安定して連結される。
【００３４】
又、該実施形態のキャビネットにおいては、縦桟材７及び連結具８がキャビネット本体５の片側方開口６から突出しないよう該片側方開口６の端面と略面一状に配置されるので、隣接する両キャビネット本体５同士はがたつきなく密接して連結され、両者の天板１間に隙間が発生することもない。しかも、この場合、並設されて最端に位置するキャビネット本体５の片側方開口６の端面に、該キャビネット本体５の側板４と同形状同素材の最端用側板11が接合固定されるので、該最端用側板11によって同キャビネット本体５の片側方開口６は支障なく外観良好に閉塞され、その際、同最端用側板11として部材品番を増加することなく同側板４を共用することができる。
【００３５】
又、該実施形態のキャビネットにおいては、隣接するキャビネット本体５の側板４に結合固定される連結具８によって、キャビネット本体５の天板１及び底板２と背板３とが結合固定されるので、該キャビネット本体５の組み立て作業と隣接するキャビネット本体５との連結作業とを同じ連結具８でまとめて簡単に行うことができる。又、複数並設されたキャビネット本体５上にカウンター13が架設固定されるので、該カウンター13によって各キャビネット本体５の天板１上が一連に体裁良く覆い隠され、同カウンター13を支持する耐荷重性にも支障を来すことはない。
【００３６】
図４、５は、本発明の請求項１〜８に対応する別の実施形態を示し、該実施形態のキャビネットにおいては、連結具８を予め背板３に固定しておいて、該背板３の上端縁及び下端縁を天板１下面及び底板２上面に形成した凹溝12に挿入係合させることにより、同背板３を所定位置に配設し、この状態で、連結具８を同天板１下面及び底板２上面に固定している。
【００３７】
したがって、該実施形態のキャビネットにおいては、連結具８が予め固定された背板３の上端縁及び下端縁を天板１下面及び底板２上面に形成された凹溝12に挿入係合させて、スムーズに同背板３を所定位置に配設することができ、この状態で、連結具８を同天板１下面及び底板２上面に固定して、キャビネット本体５の組み立て作業をより簡単に行うことができる。なお、それ以外は上記実施形態におけると同様に構成されており、上記実施形態におけると同様の作用効果が奏される。
【００３８】
又、上記いずれの実施形態においても、連結具８は上下別々に配設されているが、本発明のキャビネットにおいては、上下の連結具８を縦桟状に一体化して形成しても良い。
【００３９】
【発明の効果】
上述の如く、本発明の請求項１記載のキャビネットにおいては、キャビネット本体間の連結部位に側板が一枚だけ存在することになり、該キャビネット本体の材料が削減されて、低コスト化が図られ、軽量化によって組み立て施工性も向上され、同キャビネット本体同士の連結が確実なものとなって、耐荷重性に支障を来すことはなく、各キャビネット本体内の収納スペースも拡張される。
【００４０】
又、本発明の請求項２記載のキャビネットにおいては、特に、結合用孔に連通されるネジ体で側板と縦桟材及び連結具とが結合固定されて、隣接する両キャビネット本体同士は確実強固に連結される。
【００４１】
又、本発明の請求項３記載のキャビネットにおいては、特に、上記の場合に結合用孔が四角に配設されて、隣接する両キャビネット本体同士はその四角部分でネジ体により均等強固に安定して連結される。
【００４２】
又、本発明の請求項４記載のキャビネットにおいては、特に、縦桟材及び連結具がキャビネット本体の片側方開口の端面と略面一状に配置されて、隣接する両キャビネット本体同士はがたつきなく密接して連結され、両者の天板間に隙間が発生することもない。
【００４３】
又、本発明の請求項５記載のキャビネットにおいては、特に、上記の場合にキャビネット本体の片側方開口が最端用側板で支障なく外観良好に閉塞され、その際、該最端用側板として部材品番を増加することなく同キャビネット本体の側板を共用することができる。
【００４４】
又、本発明の請求項６記載のキャビネットにおいては、特に、キャビネット本体の組み立て作業とこれに隣接するキャビネット本体との連結作業とを同じ連結具でまとめて簡単に行うことができる。
【００４５】
又、本発明の請求項７記載のキャビネットにおいては、特に、上記の場合に連結具を予め背板に固定しておいて、スムーズに該背板を所定位置に配設することができ、この状態で、同連結具を固定してキャビネット本体の組み立て作業をより簡単に行うことができる。
【００４６】
又、本発明の請求項８記載のキャビネットにおいては、特に、カウンターによって各キャビネット本体の天板上が一連に覆い隠され、同カウンターを支持する耐荷重性にも支障を来すことはない。
【図面の簡単な説明】
【図１】本発明の一実施形態であるキャビネットの全体を示す分解斜視図。
【図２】同キャビネットの全体を示す正面図。
【図３】同キャビネットの要部を示す拡大斜視図。
【図４】別の実施形態であるキャビネットにおいてキャビネット本体を組み立てている状態を示す斜視図。
【図５】同キャビネットの要部を示す拡大斜視図。
【図６】従来例であるキャビネットの全体を示す正面図。
【符号の説明】
１  天板
２  底板
３  背板
４  側板
５  キャビネット本体
６  片側方開口
７  縦桟材
８  連結具
９  結合用孔
10  ネジ体
11  最端用側板
12  凹溝
13  カウンター
【図１】
0004314670.tif 000002
【図２】
0004314670.tif 000003
【図３】
0004314670.tif 000004
【図４】
0004314670.tif 000005
【図５】
0004314670.tif 000006
【図６】
0004314670.tif 000007